(57)【要約】【課題】  バキュームポンプから排出される排気を処理する処理装置が運転室よりも外側方に大きくは突出しないようにすると共に、上記排気の処理が処理装置によって十分に行われるようにする。【解決手段】  衛生車１が、運転室６の後方に空間７をあけて配置されるバキュームタンク装置８と、バキュームタンク１１内を吸引可能とするバキュームポンプ１７からの排気１８を処理する処理装置１９とを備える。処理装置１９が、空間７に配置される処理タンク２２と、この処理タンク２２に排気１８を導入させる導入パイプ２３と、この導入パイプ２３の下流端２４よりも上方の処理タンク２２の上部から延出してこの処理タンク２２内の排気１８を大気側に導出させる導出パイプ２６と、導入パイプ２３の下流端から導出パイプ２６の上流端に向かい処理タンク２２内を上昇する排気１８に対向するよう処理液３０を供給可能とする処理液供給装置３１とを備える。【選択図】    図１
2005319828.tif 000002
【特許請求の範囲】
【請求項１】
車体フレームと、この車体フレームの前部に支持される運転室と、この運転室の後方に空間をあけて配置され、上記車体フレームの後部に支持されるバキュームタンク装置と、このバキュームタンク装置のバキュームタンク内の空気を吸引可能とするバキュームポンプと、このバキュームポンプから排出される排気を処理する処理装置とを備えた衛生車において、
上記処理装置が、上記空間に配置される処理タンクと、この処理タンクに上記排気を導入させる導入パイプと、この導入パイプの下流端よりも上方の上記処理タンクの上部から延出してこの処理タンク内の排気を大気側に導出させる導出パイプと、上記導入パイプの下流端から上記導出パイプの上流端に向かい上記処理タンク内を上昇する排気に対向するよう処理液を供給可能とする処理液供給装置とを備えたことを特徴とする衛生車。
【請求項２】
上記導出パイプを上記処理タンクの上部から下方に向けて延出させ、その延出端部を、鉛直方向で上記車体フレームの下端部近傍に位置させたことを特徴とする請求項１に記載の衛生車。
【請求項３】
上記処理タンク、導入パイプ、および導出パイプを車両幅方向に並設したことを特徴とする請求項１、もしくは２に記載の衛生車。
【発明の詳細な説明】
【技術分野】
【０００１】
本発明は、バキュームポンプによりバキュームタンク内を吸引する際に、上記バキュームポンプから排出される排気に対し脱臭など処理する処理装置を備えた衛生車に関するものである。
【背景技術】
【０００２】
上記衛生車には、従来、下記特許文献１に示されるものがある。この公報のものによれば、上記衛生車は、車体フレームと、この車体フレームの前部に支持される運転室と、この運転室の後方に空間をあけて配置され、上記車体フレームの後部に支持されるバキュームタンク装置と、このバキュームタンク装置のバキュームタンク内の空気を吸引可能とするバキュームポンプと、このバキュームポンプから排出される排気を処理する処理装置とを備えている。
【０００３】
上記衛生車の使用時には、上記バキュームポンプを駆動させ、上記バキュームタンク内の空気を吸引して負圧にさせる。すると、この負圧によりバキュームタンクから延出した吸入ホースを通して、例えば、浄化槽汚泥の収集が可能となる。
【０００４】
一方、上記バキュームポンプによりバキュームタンク内を吸引する際に、上記バキュームポンプから排出される排気は、上記処理装置によって脱臭処理され、大気側に排出されるようになっている。
【０００５】
【特許文献１】特開２００３−１２６６４４号公報
【発明の開示】
【発明が解決しようとする課題】
【０００６】
ところで、上記従来の衛生車では、上記処理装置は上記バキュームタンクの外側方に配置されているが、上記処理装置が運転室から外側方に大きく突出することは、この衛生車の走行上などで好ましくない。
【０００７】
そこで、上記処理装置の車両幅方向における寸法を小さくさせることが考えられる。しかし、これでは、上記処理装置の容量が減少して、排気に対する脱臭処理が不十分になるおそれを生じる。
【課題を解決するための手段】
【０００８】
本発明は、上記のような事情に注目してなされたもので、本発明の目的は、バキュームポンプから排出される排気を処理する処理装置が運転室よりも外側方に大きくは突出しないようにすると共に、上記排気の処理が上記処理装置によって十分に行われるようにすることである。
【０００９】
請求項１の発明は、車体フレーム２と、この車体フレーム２の前部に支持される運転室６と、この運転室６の後方に空間７をあけて配置され、上記車体フレーム２の後部に支持されるバキュームタンク装置８と、このバキュームタンク装置８のバキュームタンク１１内の空気１６を吸引可能とするバキュームポンプ１７と、このバキュームポンプ１７から排出される排気１８を処理する処理装置１９とを備えた衛生車において、
上記処理装置１９が、上記空間７に配置される処理タンク２２と、この処理タンク２２に上記排気１８を導入させる導入パイプ２３と、この導入パイプ２３の下流端２４よりも上方の上記処理タンク２２の上部から延出してこの処理タンク２２内の排気１８を大気側に導出させる導出パイプ２６と、上記導入パイプ２３の下流端から上記導出パイプ２６の上流端に向かい上記処理タンク２２内を上昇する排気１８に対向するよう処理液３０を供給可能とする処理液供給装置３１とを備えたものである。
【００１０】
請求項２の発明は、請求項１の発明に加えて、上記導出パイプ２６を上記処理タンク２２の上部から下方に向けて延出させ、その延出端部２７を、鉛直方向で上記車体フレーム２の下端部近傍に位置させたものである。
【００１１】
請求項３の発明は、請求項１、もしくは２の発明に加えて、上記処理タンク２２、導入パイプ２３、および導出パイプ２６を車両幅方向に並設したものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、車体フレームと、この車体フレームの前部に支持される運転室と、この運転室の後方に空間をあけて配置され、上記車体フレームの後部に支持されるバキュームタンク装置と、このバキュームタンク装置のバキュームタンク内の空気を吸引可能とするバキュームポンプと、このバキュームポンプから排出される排気を処理する処理装置とを備えた衛生車において、
上記処理装置が、上記空間に配置される処理タンクと、この処理タンクに上記排気を導入させる導入パイプと、この導入パイプの下流端よりも上方の上記処理タンクの上部から延出してこの処理タンク内の排気を大気側に導出させる導出パイプと、上記導入パイプの下流端から上記導出パイプの上流端に向かい上記処理タンク内を上昇する排気に対向するよう処理液を供給可能とする処理液供給装置とを備えている。
【００１５】
ここで、上記空間の車両幅方向の寸法は、上記運転室のそれに実質的に相応するものであって、幅広である。そして、上記空間に処理装置の処理タンクを配置してあり、このため、上記処理装置が運転室よりも外側方に突出するということは防止される。
【００１６】
また、上記空間の高さ寸法は、上記運転室のそれに実質的に相応するものであって、十分な大きさである。一方、上記したように、処理装置は、上記処理タンク内を上昇する排気に対向するようその上方から処理液を供給して排気を処理するものである。このため、この処理をより効果的にする上で、上記処理タンクの高さは、より大きくすることが望まれる。
【００１７】
そして、上記したように、高さ寸法が十分の大きさである空間に対し、高さを大きくすることが望まれる上記処理タンクを配置してあり、このため、この処理装置によれば、上記排気の処理が十分に行われる。
【００１８】
請求項２の発明は、上記導出パイプを上記処理タンクの上部から下方に向けて延出させ、その延出端部を、鉛直方向で上記車体フレームの下端部近傍に位置させている。
【００１９】
このため、上記処理タンクで処理された排気は、上記導出パイプの延出端部を通って、車体フレームの下方域に排出される。よって、上記排気中の処理液の液滴が、衛生車の外側方における人や人家に直接的に飛散するということは防止され、これは、環境上、有益である。
【００２０】
請求項３の発明は、上記処理タンク、導入パイプ、および導出パイプを車両幅方向に並設している。
【００２１】
このため、上記衛生車の長手方向における処理装置の厚さ寸法を小さくでき、よって、衛生車の長手方向の寸法をコンパクトにできる。
【００２２】
また、上記の場合、処理タンクを基準として上記導入パイプと導出パイプとを左右に振り分けることができる。このようにすれば、上記処理タンクに対する上記導入パイプと導出パイプのそれぞれの組み付け作業が、衛生車の左右各外側方の広い作業空間を利用してできる。即ち、上記処理装置の組立作業が容易にできる。
【発明を実施するための最良の形態】
【００２３】
本発明の衛生車に関し、バキュームポンプから排出される排気を処理する処理装置が運転室よりも外側方に大きくは突出しないようにすると共に、上記排気の処理が上記処理装置によって十分に行われるようにする、という目的を実現するため、本発明を実施するための最良の形態は、次の如くである。
【００２４】
即ち、衛生車は、車体フレームと、この車体フレームの前部に支持される運転室と、この運転室の後方に空間をあけて配置され、上記車体フレームの後部に支持されるバキュームタンク装置と、このバキュームタンク装置のバキュームタンク内の空気を吸引可能とするバキュームポンプと、このバキュームポンプから排出される排気を処理する処理装置とを備えている。
【００２５】
上記処理装置は、上記空間に配置される処理タンクと、この処理タンクに上記排気を導入させる導入パイプと、この導入パイプの下流端よりも上方の上記処理タンクの上部から延出してこの処理タンク内の排気を大気側に導出させる導出パイプと、上記導入パイプの下流端から上記導出パイプの上流端に向かい上記処理タンク内を上昇する排気に対向するよう処理液を供給可能とする処理液供給装置とを備えている。
【実施例】
【００２６】
本発明をより詳細に説明するために、その実施例を添付の図に従って説明する。
【００２７】
図において、符号１は衛生車１で、矢印Ｆｒはこの衛生車１の進行方向の前方を示している。
【００２８】
上記衛生車１は、車両長手方向に長く延びる車体フレーム２と、この車体フレーム２に懸架されてこの車体フレーム２を走行路面３上に支持する前、後車輪４，５と、上記車体フレーム２の前部から上方に突出するようこの車体フレーム２の前部に支持される運転室６と、この運転室６の後方に空間７をあけて配置され、上記車体フレーム２の後部から上方に突出するようこの車体フレーム２の後部に支持されるバキュームタンク装置８とを備えている。
【００２９】
上記バキュームタンク装置８は、上記車体フレーム２の後部に支持される正面視断面が楕円形のバキュームタンク１１と、このバキュームタンク１１から延出する不図示の吸引ホースと、上記バキュームタンク１１の上面に支持され、上記吸引ホースを巻き取り収納する収納器１２とを備えている。鉛直方向で上記運転室６の上端近傍に上記バキュームタンク装置８の収納器１２の上端が位置している。
【００３０】
また、上記衛生車１は、上記車体フレーム２の一側部に支持され、吸引パイプ１５を通して上記バキュームタンク１１内の空気１６を吸引可能とする電動式のバキュームポンプ１７と、このバキュームポンプ１７から排出される排気１８を脱臭や殺菌処理する処理装置１９とを備えている。上記バキュームポンプ１７は正、逆転駆動可能とされ、正転駆動させれば、上記したようにバキュームタンク１１内の空気１６が吸引される。
【００３１】
上記処理装置１９は、上記空間７に配置されて鉛直方向に長く延びる密閉状の処理タンク２２と、上記バキュームポンプ１７から排出される上記排気１８を上記処理タンク２２の長手方向の中途部に導入させる導入させる導入パイプ２３と、この導入パイプ２３の中途部に介設され、上記バキュームポンプ１７から処理タンク２２への流動のみを許容する第１チャッキ弁２５と、上記処理タンク２２内における上記導入パイプ２３の下流端２４よりも上方の上記処理タンク２２内の上部から延出してこの処理タンク２２内の排気１８を大気側に導出させる導出パイプ２６とを備え、上記処理タンク２２は、平面視で車両幅方向に長い矩形とされている。
【００３２】
上記導出パイプ２６は、上記処理タンク２２の上部側から下方に向けて直線的に延出し、その延出端部２７は、鉛直方向で、上記空間７の下方における上記車体フレーム２の下端部近傍に位置している。また、上記バキュームポンプ１７、処理タンク２２、導入パイプ２３、および導出パイプ２６は、上記空間７内で、車両幅方向に並設されている。より具体的には、上記処理タンク２２が車両幅方向のほぼ中央に配置され、この処理タンク２２を基準として、上記導入パイプ２３と導出パイプ２６とが左右に振り分け状に配置されている。
【００３３】
また、上記処理装置１９は、上記導入パイプ２３の下流端２４から上記導出パイプ２６の上流端２８に向かい上記処理タンク２２内を上昇する排気１８に対向するよう処理液３０を噴霧状にして供給可能とする処理液供給装置３１を備えている。上記処理液３０は、例えば、次亜塩素酸ナトリウム水溶液や塩素溶液であり、上記排気１８中の悪臭を脱臭すると共に、大腸菌などを殺菌する。
【００３４】
上記処理液供給装置３１は、上記処理タンク２２の底部に形成される処理液３０の貯留部３３と、この貯留部３３の処理液３０を吸入する一方、加圧して排出する電動式の液圧ポンプ３４と、鉛直方向で、上記導入パイプ２３の下流端２４と上記導出パイプ２６の上流端２８との間における上記処理タンク２２内に配置され下方に向かって開口する多数のノズルを有する噴霧装置３５と、上記液圧ポンプ３４から吐出される処理液３０を上記噴霧装置３５の上流側に供給する供給パイプ３６とを備えている。
【００３５】
上記バキュームポンプ１７から第１チャッキ弁２５に至る間の上記導入パイプ２３の部分から分岐して大気側に開口する分岐パイプ３９が設けられている。この分岐パイプ３９には、大気側から上記バキュームポンプ１７側への外気４１の流動のみを許容する第２チャッキ弁４２が介設されている。また、上記バキュームポンプ１７と液圧ポンプ３４とを同時にオン、オフ可能とさせる操作スイッチ４４が設けられている。
【００３６】
上記衛生車１の使用時、上記操作スイッチ４４をオンすれば、この単一操作によって、上記バキュームポンプ１７と液圧ポンプ３４とが同時に駆動させられる。上記バキュームポンプ１７の駆動により、上記バキュームタンク１１内の空気１６が吸引されて、負圧とされる。すると、この負圧により上記吸入ホースを通して、例えば、浄化槽汚泥の収集が可能となる。
【００３７】
一方、上記バキュームポンプ１７によりバキュームタンク１１内を吸引する際に、上記バキュームポンプ１７から排出される排気１８は、上記処理装置１９の処理タンク２２内に上記導入パイプ２３を通し導入される。上記処理タンク２２内に導入された排気１８は、上記導出パイプ２６の上流端２８に向かって、上記処理タンク２２内を上昇する。
【００３８】
ここで、上記した液圧ポンプ３４の駆動により、上記処理タンク２２の貯留部３３の処理液３０が上記供給パイプ３６を通し上記噴霧装置３５により下方に向かって噴霧される。この噴霧された処理液３０は上記のように上昇する排気１８と対向して衝突させられ、これにより、上記排気１８が効果的に処理される。そして、このように処理された排気１８は、上記導出パイプ２６を通し車体フレーム２下方の大気側に排出される。一方、上記排気１８を処理した後の処理液３０は上記貯留部３３に戻され、以下、上記作用が繰り返されて、上記排気１８が処理される。
【００３９】
一方、上記バキュームタンク１１内に収集した汚泥をこのバキュームタンク１１から排出させる場合には、上記バキュームポンプ１７を逆転させる。すると、上記分岐パイプ３９と第２チャッキ弁４２とを通って、外気４１が上記バキュームタンク１１内に強制的に供給され、このバキュームタンク１１内が正圧にされる。すると、この正圧により、上記バキュームタンク１１内の汚泥が上記吸入ホースなどを通し円滑に排出される。
【００４０】
上記構成によれば、処理装置１９が、上記空間７に配置される処理タンク２２と、この処理タンク２２に上記排気１８を導入させる導入パイプ２３と、この導入パイプ２３の下流端２４よりも上方の上記処理タンク２２の上部から延出してこの処理タンク２２内の排気１８を大気側に導出させる導出パイプ２６と、上記導入パイプ２３の下流端から上記導出パイプ２６の上流端に向かい上記処理タンク２２内を上昇する排気１８に対向するよう処理液３０を供給可能とする処理液供給装置３１とを備えている。
【００４１】
ここで、上記空間７の車両幅方向の寸法は、上記運転室６のそれに実質的に相応するものであって、幅広である。そして、上記空間７に処理装置１９の処理タンク２２を配置してあり、このため、上記処理装置１９が運転室６よりも外側方に突出するということは防止される。
【００４２】
また、上記空間７の高さ寸法は、上記運転室６のそれに実質的に相応するものであって、十分な大きさである。一方、上記したように、処理装置１９は、上記処理タンク２２内を上昇する排気１８に対向するようその上方から処理液３０を供給して排気１８を処理するものである。このため、この処理をより効果的にする上で、上記処理タンク２２の高さは、より大きくすることが望まれる。
【００４３】
そして、上記したように、高さ寸法が十分の大きさである空間７に対し、高さを大きくすることが望まれる上記処理タンク２２を配置してあり、このため、この処理装置１９によれば、上記排気１８の処理が十分に行われる。
【００４４】
また、前記したように、導出パイプ２６を上記処理タンク２２の上部から下方に向けて延出させ、その延出端部２７を、鉛直方向で上記車体フレーム２の下端部近傍に位置させている。
【００４５】
このため、上記処理タンク２２で処理された排気１８は、上記導出パイプ２６の延出端部２７を通って、車体フレーム２の下方域に排出される。よって、上記排気１８中の処理液３０の液滴が、衛生車１の外側方に人や人家に直接的に飛散するということが防止され、これは、環境上、有益である。
【００４６】
また、前記したように、上記処理タンク２２、導入パイプ２３、および導出パイプ２６を車両幅方向に並設している。
【００４７】
このため、上記衛生車１の長手方向における処理装置１９の厚さ寸法を小さくでき、よって、衛生車１の長手方向の寸法をコンパクトにできる。
【００４８】
また、上記の場合、処理タンク２２を基準として上記導入パイプ２３と導出パイプ２６とを左右に振り分けることができる。このようにすれば、上記処理タンク２２に対する上記導入パイプ２３と導出パイプ２６のそれぞれの組み付け作業が、衛生車１の左右各外側方の広い作業空間を利用してできる。即ち、上記処理装置１９の組立作業が容易にできる。
【００４９】
なお、以上は図示の例によるが、鉛直方向で、上記バキュームタンク１１の上端近傍に上記処理装置１９の処理タンク２２の上端を位置させてもよく、この処理タンク２２の平面視形状は円形であってもよい。また、上記処理タンク２２内において、上記導入パイプ２３の下流端２４から上記噴霧装置３５に至る間に、上記処理液３０を保持可能とし、かつ、上昇する排気１８の通過を可能とする濾過材を配置してもよい。
【図面の簡単な説明】
【００５０】
【図１】処理装置の全体正面図である。
【図２】衛生車の全体側面図である。
【符号の説明】
【００５１】
１    衛生車
２    車体フレーム
６    運転室
７    空間
８    バキュームタンク装置
１１  バキュームタンク
１６  空気
１７  バキュームポンプ
１８  排気
１９  処理装置
２２  処理タンク
２３  導入パイプ
２４  下流端
２５  第１チャッキ弁
２６  導出パイプ
２７  延出端部
２８  上流端
３０  処理液
３１  処理液供給装置
３３  貯留部
３４  液圧ポンプ
３５  噴霧装置
３６  供給パイプ
４４  操作スイッチ
【図１】
2005319828.tif 000003
【図２】
2005319828.tif 000004